(57)【要約】【課題】袋のサイズに制約されることなく、子供等でも容易に袋の口部を封止又は開封でき、また、樹木等の成長に合わせて台木と穂木、樹木と支柱等の結束度合を調整でき、且つ装飾性や娯楽性に富んだクリップバンドを提供する。【解決手段】一方の表面に係止爪２を複数並設した合成樹脂製のバンド３と該バンド３の一端に形成された受用部４とからなり、そして、該受用部４にはバンド３の挿通孔５と該バンド３の係止爪２と係合する係合部６を、また、該係合部６を係合爪２と係脱させる操作部７を備え、更に、受用部４又は受用部４付近のバンドには動物、植物、キャラクター等の装飾部８を一体的に形成している。これによって、袋の大きさ（束ねた部分の厚み）に左右されることはなく、受用部４に備えた操作部７によって係脱自在に袋の口部を封止したり、開封することができるので、子供等でも取り扱いが容易であり、且つ安全で、装飾性に富み、楽しく利用することができる。【選択図】図１
0003122332.tif 000002
【実用新案登録請求の範囲】
【請求項１】
一方の表面に係止爪を複数並設した合成樹脂製のバンドと該バンドの一端に形成された受用部とからなり、該受用部が前記バンドの挿通孔と前記バンドの係止爪と係合する係合部を備えるとともに、該係合部を前記係合爪と係脱させる操作部を備え、前記受用部又は受用部付近のバンドに動物、植物、キャラクター等からなる装飾部が一体的に形成されていることを特徴とするクリップバンド。
【請求項２】
装飾部がイヌ、ネコ、クマ、ウサギ、ゾウ、カバ、サイ、キリン、ペンギン、サル、トリから選ばれる動物からなる請求項１記載のクリップバンド。
【請求項３】
装飾部が果物、花から選ばれる植物からなる請求項１記載のクリップバンド。
【請求項４】
受用部の一部が動物の両手又は両足で構成されている請求項１又は２記載のクリップバンド。
【請求項５】
袋の口部の封止用である請求項１〜４のいずれか１項に記載のクリップバンド。
【請求項６】
接木の台木と穂木との結束用である請求項１〜４のいずれか１項に記載のクリップバンド。
【請求項７】
フェンスの結束用である請求項１〜４のいずれか１項に記載のクリップバンド。
【請求項８】
樹木や農作物と支柱との結束用である請求項１〜４のいずれか１項に記載のクリップバンド。
【考案の詳細な説明】
【技術分野】
【０００１】
本考案は、例えば、ポリ袋やビニール袋等の合成樹脂製の袋あるいは布製、紙製の袋の口部を封止、開封したり、接木の台木と穂木を結束したり、樹木、農作物と支柱とを結束したりする際に有用であるクリップバンドに関する。
【背景技術】
【０００２】
従来のこの種のクリップの最も卑近な例としては、食パン用ポリ袋の口部を狭めた状態で封止して保存し、また、開封してパンを食した後は、通常、ポリ袋とともに使い捨てる合成樹脂製薄板状の小片型止め具が良く知られている。該小片型止め具は一端から切溝が設けられた上、該切溝に連通して中央奥部には円形孔が設けられていて、ポリ製の口部を狭めて束ね、切溝を押し開きながら円形孔に通すことによって、該円形孔が口部を束ねた部分が開かないように保持して封止し、一方、開封する際には、束ねた部分を円形孔から切溝を押し開いて通過させ開放して開封するように考案されたものである。
【０００３】
また、他の例としては、一対の挟持片からなり、その一端部には所定角度で開閉を可能にしたヒンジを備えるとともに、他端部には相互に係止する係止手段を備え、被包装材の口部を該挟持片にて挟圧封止するとともに、該挟持片同士を係止手段によって係止することにより封止し、また開封する際には、係止を解いて開封できる挟持片型止め具も良く知られている。
【０００４】
また、この種のクリップと同様の機能を有するものとしては、広義的には洗濯バサミの類や、紙挟み、紐類、線材なども袋の口部を封止したり、解除したりするのに広く利用されている。
【０００５】
一方、電線や配管等を結束するものとして、プラスチック製のバンド体本体を有し、そのバンド体本体の一端には貫通孔を形成した受部を一体に備え、他端には受部に挿通される挿込ガイド片を一体に備えた結束バンド( 例えば、特許文献１参照) 等が利用され、更にまた、該結束バンドの結束の止め外しを可能にした結束解除機能付き結束帯（特許文献２参照) 等も利用されている。
【特許文献１】特開平１１−２２５４２１号公報
【特許文献２】実開平７−２８２７８号公報
【考案の開示】
【考案が解決しようとする課題】
【０００６】
しかしながら、上記従来の食パンの包装袋の止め具として用いられている合成樹脂製の薄板状小片型止め具は大きさが一定であるため、袋の大きさが変わった際には、口部を束ねた部分が厚くなり切溝を通過させることができず、また、無理矢理通過させたとしても中央の円形孔内に収まらず、その結果、封止することができないという問題がある。また、切溝を押し開いて口部の束ねた部分を通過させる必要があるため、作業性が悪く、場合によっては手指を傷つけるという問題がある。
【０００７】
また、上記の挟持片型止め具においては、挟着部の大きさは一定寸法であるので、口部の束ねた部分が厚くなると挟みにくく、逆に薄くなると挟む力が弱くなり封止できないという欠点があった。
【０００８】
また、特許文献１記載の結束バンドにおいては、袋の大きさが変わっても、その大小に対応して封止できるものの、一旦封止したあとは開封できず、再利用（封止、開封）できないという問題があり、更に、特許文献２記載の結束解除機能付き結束帯においては、上記２つの問題点、すなわち、袋の大小（開口部の厚みの大小）に対応して封止できない点、及び封止した後再利用できないという問題は解消されるものの、余りにも機能面だけが重視され、無機的で装飾性、興趣性、娯楽性、暖か味に欠ける憾みがある。
【０００９】
本考案は上記課題に鑑み、ポリ袋などの開口部の大きさ（束ねた部分の厚み）が変わっても安定した状態で封止し、またこの封止を解除して再利用できることは勿論、装飾性、興趣性、娯楽性、暖か味に富んだクリップバンドを提供することを目的としている。
また、本考案は、例えば、接木する場合に台木と穂木とを結束したり、樹木や農作物と支柱とを結束したり、フェンスとフェンスとを結束したり、園芸用や農業用に好適なクリップバンドを提供することを目的とする。
【課題を解決するための手段】
【００１０】
上記目的を達成するために、本考案の第１は、一方の表面に係止爪を複数並設した合成樹脂製のバンドと該バンドの一端に形成された受用部とからなり、該受用部がバンドの挿通孔とバンドの係止爪と係合する係合部を備えるとともに、該係合部を前記係合爪と係脱させる操作部を備え、前記受用部又は受用部付近のバンドに動物、植物、キャラクター等からなる装飾部が一体的に形成されていることを特徴とするクリップバンドを内容とする（請求項１）。
【００１１】
好ましい態様としての請求項２は、装飾部がイヌ、ネコ、クマ、ウサギ、ゾウ、カバ、サイ、キリン、ペンギン、サル、トリから選ばれる動物からなる請求項１記載のクリップバンドを内容とする。
【００１２】
好ましい態様としての請求項３は、装飾部が果物、花から選ばれる植物からなる請求項１記載のクリップバンドを内容とする。
【００１３】
好ましい態様としての請求項４は、受用部の一部が動物の両手又は両足で構成されている請求項１又は２記載のクリップバンドを内容とする。
【００１４】
好ましい態様としての請求項５は、袋の口部の封止用である請求項１〜４のいずれか１項に記載のクリップバンドを内容とする。
【００１５】
好ましい態様としての請求項６は、接木の台木と穂木との結束用である請求項１〜４のいずれか１項に記載のクリップバンドを内容とする。
【００１６】
好ましい態様としての請求項７は、フェンスの結束用である請求項１〜４のいずれか１項に記載のクリップバンドを内容とする。
【００１７】
好ましい態様としての請求項８は、樹木や農作物と支柱との結束用である請求項１〜４のいずれか１項に記載のクリップバンドを内容とする。
【考案の効果】
【００１８】
本考案のクリップバンドは、一方の表面に係止爪を複数並設した合成樹脂製のバンドと該バンドの一端に形成された受用部とからなり、該受用部がバンドの挿通孔と該バンドの係止爪と係合する係合部を備えるとともに、該係合部を係合爪と係脱させる操作部を備え、受用部又は受用部付近のバンドに動物、植物、キャラクター等の装飾部を一体的に形成したことにより、例えば、袋の口部の封止、開封に用いる場合は、袋の大きさ（束ねた部分の厚み）に左右されることはなく、受用部に備えた操作部によって係脱自在に袋の口部を封止したり、解除することができ、また、例えば、接木の台木と穂木との結束に用いる場合には、台木や穂木の太さに左右されずに結束でき、また接木の成長に合わせて結束度合を調整することが可能であるとともに、装飾性、興趣性、娯楽性、暖か味に富み子供等でも容易に使用でき、また、食卓等に置いても装飾的効果を奏する。
【考案を実施するための最良の形態】
【００１９】
本考案のクリップバンドは、一端に受用部を形成した合成樹脂製のバンドからなり、該バンドの一方の表面には係止爪が複数並設され、また、受用部にはバンドを通す挿通孔とバンドの係止爪と係合する係合部と、該係合部を係合爪と係脱させる操作部を備えていることを特徴とする。そして、受用部又は受用部付近のバンドには、イヌ、ネコ、クマ、ウサギ、ゾウ、カバ、サイ、キリン、ペンギン、サル、トリから選ばれる動物や、ミカン、バナナ、リンゴ、メロン、スイカ、イチゴ等の果物、バラ、ボタン、ヒマワリ、チューリップ、キク等の花から選ばれる植物、あるいは各種キャラクター等の装飾部が一体的に形成される。
【００２０】
また、受用部の一部を、上記した動物や、果物、花などの植物を擬態化して形成しても良く、とりわけ、動物の場合にはその両手又は両足で構成するのが好都合である。
【００２１】
本考案に用いられる合成樹脂材としては特に制限はされないが、ポリエチレン、ポリプロピレン等のポリオレフィン樹脂、ポリスチロール樹脂、塩化ビニール樹脂、ポリアミド樹脂、ポリエステル樹脂、ＡＢＳ樹脂、ＡＳ樹脂等が挙げられる。
【００２２】
本考案のクリップバンドは、特に用途は限定されず、結束したり、解束したりする用途に好適に使用されるが、特に装飾性、興趣性、娯楽性等が求められる用途に好適であり、例えば、飴、ビスケット、煎餅等の菓子類、トマト、ナス、きゅうり、ジャガイモ等の野菜類、ビー玉、ミニカー等のおもちゃの小物類を収容する袋の口部を封止したり、接木の台木と穂木とを結束したり、樹木や農作物と支柱とを結束したり、フェンスを結束したり、等の園芸用や農業用として特に有用である。
【００２３】
以下、本考案のクリップバンドを図面に基づいて説明するが、本考案はこれらにより何等限定されるものではなく、また、上記したバンド、係止爪、係合部などの形状・構造については、適宜公知のものを利用することができる。
【００２４】
（実施の形態１）
本考案の実施の形態１について図１〜図４を参照して説明する。
図１は本考案の実施の形態１におけるクリップバンドの正面図、図２は同クリップバンドのＡ- Ａ断面図、図３はクリップバンドの係合時における要部拡大断面図、図４は使用状態を示す斜視図である。
【００２５】
図１、２に示すように、本考案のクリップバンド１は、一方の表面に係止爪２を複数個並設した合成樹脂製のバンド３と該バンド３の一端に形成された受用部４とからなり、この受用部４はバンド３を通す挿通孔５とバンド３の係止爪２と係合する係合部６を備えるとともに、該係合部６を係合爪２と係脱させる操作部７を備えている。そして、受用部４には動物のゾウ８Ａが装飾部８として一体的に形成され、また、受用部４の一部はゾウ８Ａの両足８Ｂで構成されている。
【００２６】
次に、本クリップバンド１の係合・離脱について説明する。
図３に示したように、クリップバンド１の裏面側の挿通孔５にバンド３を差込むと係合爪２が操作部７の先端に設けられた係合部６と噛み合い１ピッチずつ前進し、差込力を緩めるとその位置で停止するが、逆方向に引き抜くことはできない。これを離脱させる際は、操作部７に図３に示したＲ方向に力を加えて操作部７の支点９を中心に反時計方向に回動させ、係合部６と係合爪２との係合を離脱させれば良い。
【００２７】
また、図４に示すように、クリップバンド１の裏面側から挿通孔５にバンド３を差込むとバンド３は円環を形成するが、この円環を大き目の状態にしておき、ポリ袋などの袋１０の口部１１を狭めながら該円環に差込み、バンド３を締め付ければ口部１１は封止される。また逆に、この封止を必要に応じて解除する時は、前述したように操作部７に力を加えた状態でバンド３を引き抜くか緩めれば良い。
【００２８】
（実施の形態２）
次に、本考案のクリップバンドの実施の形態２について図５を参照して説明する。なお、先にも述べたが、上記したバンド、係止爪、係合部などの形状・構造については、適宜公知のものを利用することができ、また以下においても同様である。
図５に示すように、受用部４付近の操作部７の横に装飾部としてゾウ８Ａがバンド３の表面に擬似的に且つ一体的に形成されている。
本実施の形態２においては、前述の実施の形態１の図4 と同様の使い方をすれば、ゾウ８Ａの向きが正立するので、極めて自然な状態となり、一層印象が強くなるという効果がある。
【００２９】
（実施の形態３）
本実施の形態３は、図６に示すように受用部４の端部に装飾部８としてクマ８Ｃを設けた形態であり、この形態においては前述の実施の形態２と同様に、クマ８Ｃの向きが正立状態の上、立体感が一層強調するように形成されるので、印象が一層強くなるという効果が得られる。
【００３０】
（実施の形態４）
前述までの実施の形態では、受用部４又は受用部４付近のバンド３に形成する装飾部８としては動物の例を示したが、本実施の形態４では、擬似的なミカン８Ｄを実施の形態２の形態と同位置に設けたものである。該ミカン８Ｄのような果物を装飾部８として形成した形態では、動物の場合ほどその向きが気にならないので、取り付けられた後の袋１０の姿勢にこだわらず楽しむことができる。
【００３１】
なお、受用部４又は受用部４付近のバンドに形成する動物、植物、キャラクター等の装飾部８は、上記各実施の形態に示したようなゾウ、クマ、ミカン等に限らず、イヌ、ネコ、ウサギ、キリン、サル、トリ等の動物でも、ミカン以外のバナナ、リンゴ、メロン、スイカ、イチゴ等の果物、バラ、ボタン、ヒマワリ、チューリップ、キク等の花、各種キャラクターなどであっても良いことは勿論である。
【００３２】
図８、図９は、本考案のクリップバンドの他の使用例を示し、図８において、台木１２と穂木１３とがクリップバンド１（図５の）により結束され、また、図９において、フェンス１４同士がクリップバンド１（図７の）により結束されている。
【産業上の利用可能性】
【００３３】
叙上のとおり、本考案のクリップバンドは、一方の表面に係止爪を複数並設した合成樹脂製のバンドと該バンドの一端に形成された受用部とからなり、そして、該受用部にはバンドの挿通孔と該バンドの係止爪と係合する係合部を、また、該係合部を係合爪と離脱させる操作部を備えた上、受用部又は受用部付近のバンドには動物、植物、キャラクター等の装飾部を一体的に形成したものである。
【００３４】
従って、袋の口部の封止、開封に使用する場合には、袋の大きさ（束ねた部分の厚さ）に左右されることなく、受用部に備えた操作部によって袋の口部を封止したり、またその封止を解除したり、子供等でも容易に使うことができるとともに、装飾性、興趣性、娯楽性、暖か味に富み、日常生活の中で楽しく使用することができる。また、接木の台木と穂木との結束や、フェンスの結束に使用する場合には、容易に結束や解束が可能で、特に、接木の場合は台木や穂木の成長に合わせて容易に結束度合を調整することができる。樹木や農作物と支柱との結束に用いる場合にも、樹木や農作物の成長に合わせて結束度合を調整可能である。
【図面の簡単な説明】
【００３５】
【図１】本考案の実施の形態１におけるクリップバンドの正面図である。
【図２】同クリップバンドのＡ−Ａ断面図である。
【図３】同クリップバンドの係合時における要部拡大断面図である。
【図４】同クリップバンドの使用状態を示す斜視図である。
【図５】本考案の実施の形態２のクリップバンドに形成される装飾部の取付け状態を示す部分平面図である。
【図６】本考案の実施の形態３のクリップバンドに形成される装飾部の取付け状態を示す部分斜視図である。
【図７】本考案の実施の形態４のクリップバンドに形成される装飾部の取付け状態を示す部分平面図である。
【図８】本考案のクリップバンドの他の使用状態を示す概略図である。
【図９】本考案のクリップバンドの更に他の使用状態を示す概略図である。
【符号の説明】
【００３６】
１  クリップバンド
２  係止爪
３  バンド
４  受用部
５  挿通孔
６  係合部
７  操作部
８  装飾部
９  支点
１０  袋
１１  口部
１２  台木
１３  穂木
１４  フェンス
【図１】
0003122332.tif 000003
【図２】
0003122332.tif 000004
【図３】
0003122332.tif 000005
【図４】
0003122332.tif 000006
【図５】
0003122332.tif 000007
【図６】
0003122332.tif 000008
【図７】
0003122332.tif 000009
【図８】
0003122332.tif 000010
【図９】
0003122332.tif 000011